(57)【要約】      （修正有）【課題】トイレットペーパーロールの紙幅が標準寸法よりも狭い場合にも、標準寸法のトイレットペーパーロール用ロールホルダーをそのまま使用可能にするトイレットペーパーロールを提供する。【解決手段】トイレットペーパーロール１０において、筒芯１３が、トイレットペーパー１１の巻回体１２において該筒芯１３の周囲に形成されている巻回中心孔に対し、トイレットペーパー１１ロールの幅方向にて該巻回体１２の一方の側面よりも外方に引き出し可能にされ、トイレットペーパー１１ロールの幅方向にて、巻回体１２の他方の側面から、筒芯１３の該巻回体１２から引き出された側の端面に至る全幅が、トイレットペーパー１１の紙幅よりも長く設定されてなるもの。【選択図】図３
0003203615.tif 000002
【実用新案登録請求の範囲】
【請求項１】
トイレットペーパーの巻回体が筒芯の周囲に巻回されてなり、トイレットペーパーの巻回体が巻回された筒芯を、ロールホルダーにおけるホルダー本体の両側面部に対向して設けられている突起部に着脱して用いられるトイレットペーパーロールにおいて、
前記筒芯が、トイレットペーパーの巻回体において該筒芯の周囲に形成されている巻回中心孔に対し、トイレットペーパーロールの幅方向にて該巻回体の一方の側面よりも外方に引き出し可能にされ、
トイレットペーパーロールの幅方向にて、巻回体の他方の側面から、筒芯の該巻回体から引き出された側の端面に至る全幅が、トイレットペーパーの紙幅よりも長く設定されてなることを特徴とするトイレットペーパーロール。
【請求項２】
前記トイレットペーパーロールの幅方向にて、巻回体の他方の側面から、筒芯の該巻回体から引き出された側の端面に至る全幅が、ロールホルダーにおけるホルダー本体の両側面部に対向して設けられている突起部に着脱できる長さである請求項１に記載のトイレットペーパーロール。
【請求項３】
前記筒芯の外周に、該筒芯の軸方向に沿って長さ目盛が付されてなる請求項１又は２に記載のトイレットペーパーロール。
【請求項４】
前記トイレットペーパーロールの紙幅が、ロールホルダーにおけるホルダー本体の両側面部に対向して設けられている突起部に着脱できる長さに対して不足することとなる長さに関し、前記筒芯の外周で、該筒芯の端面から該筒芯の軸方向に上記不足することとなる長さだけ離隔する位置に、該筒芯に必要とされる引き出し長さを示す引き出し限表示部を設けてなる請求項１又は２に記載のトイレットペーパーロール。
【請求項５】
前記筒芯の材質が紙からなる請求項１乃至４のいずれかに記載のトイレットペーパーロール。
【考案の詳細な説明】
【技術分野】
【０００１】
本考案はトイレットペーパーロールに関する。
【背景技術】
【０００２】
従来、トイレットペーパーロール用のワンタッチ式ロールホルダーとして、ホルダー本体の両側面部から突き出るように対向して設けられる左右の突起部を有してなるものがある。左右の突起部は、ホルダー本体の側面部から水平に突き出て、トイレットペーパーロールにおけるトイレットペーパーの巻回体が巻き回されている筒芯の内径部に挿入し得るロール支持位置に常時維持されるとともに、下方からの持ち上げ力によりホルダー本体に対して揺動し、上記ロール支持位置から上側へ折り畳まれる退避位置に向けて退避し得るように構成されている。
【０００３】
これにより、トイレットペーパーロールがロールホルダーに対して下方から持ち込まれたとき、ロールホルダーの左右の突起部はトイレットペーパーの巻回体によってロール支持位置から上側へ折り畳まれ、それらの突起部は退避位置へ退避せしめられる。その後、トイレットペーパーロールがロールホルダーに対する挿着可能位置に達すると、ロールホルダーの左右の突起部は、重力又はばね力等によってホルダー本体の側面部から突き出て、トイレットペーパーロールの筒芯の内径部に挿入されるロール支持位置に設定される。トイレットペーパーロールは、ロールホルダーの突起部に挿着されて繰り出し可能にされる。トイレットペーパーの巻回体を使い切ったときには、筒芯をロールホルダーに対して上方へ持ち上げることにより、ロールホルダーの左右の突起部を上側へ折り畳んで退避位置に設定する。筒芯は、ロールホルダーの突起部の退避によってホルダー本体から抜き去り可能になる。
【０００４】
ところで、トイレットペーパーロールにおいて、トイレットペーパーの紙幅はＪＩＳ規格の寸法で114mmとされている。これに対し、最近、トイレットペーパーロールの製造原価を下げ、或いは輸送費、保管費を下げることができるエコノミータイプ等として、紙幅が標準寸法の114mmよりも狭い100mm前後、例えば103mmのものも市販されている。このような標準寸法より狭い紙幅のトイレットペーパーロールを、標準寸法のトイレットペーパーロールのためのワンタッチ式ロールホルダーに適用しようとすると、その筒芯が、ロールホルダーの左右の突起部に届かず、もしくは安定的に挿入されず、ロールホルダーから外れて落下する。
【０００５】
そこで、特許文献１に記載のワンタッチ式ロールホルダーにおけるキャップ取付構造では、ホルダー本体の両側面部に対向して設けられる突起部にキャップを取付けることで、その突出長さを拡大し、狭い紙幅のトイレットペーパーロールであっても落下することなく使用可能にしたものが提案されている。
【先行技術文献】
【特許文献】
【０００６】
【特許文献１】実用新案登録第3078441号公報
【考案の概要】
【考案が解決しようとする課題】
【０００７】
しかしながら、従来技術には、以下の問題点がある。
(1)狭幅のトイレットペーパーロールの使用時に、標準寸法のトイレットペーパーロール用ロールホルダーをそのまま用いることができず、ホルダー本体に設けられている突起部の突出長さを増大させるために該突起部に取付けられるキャップを格別に用意する必要がある。
【０００８】
(2)トイレットペーパーロールの販売店では、狭幅のトイレットペーパーロールの販売時に、キャップをトイレットペーパーロールの包装袋に入れたり、キャップをトイレットペーパーロールの購入者に手渡す必要があり、煩雑である。
【０００９】
(3)使用者は、トイレットペーパーロールの使用の都度、ホルダー本体に設けられている左右の突起部にキャップを着脱する必要があり、手間がかかるし、取外したキャップを再使用のために保管する必要もあり、煩雑である。
【００１０】
本考案は、トイレットペーパーロールの紙幅が標準寸法よりも狭い場合にも、標準寸法のトイレットペーパーロール用ロールホルダーをそのまま使用可能にすることにある。
【課題を解決するための手段】
【００１１】
請求項１に係る考案は、トイレットペーパーの巻回体が筒芯の周囲に巻回されてなり、トイレットペーパーの巻回体が巻回された筒芯を、ロールホルダーにおけるホルダー本体の両側面部に対向して設けられている突起部に着脱して用いられるトイレットペーパーロールにおいて、前記筒芯が、トイレットペーパーの巻回体において該筒芯の周囲に形成されている巻回中心孔に対し、トイレットペーパーロールの幅方向にて該巻回体の一方の側面よりも外方に引き出し可能にされ、トイレットペーパーロールの幅方向にて、巻回体の他方の側面から、筒芯の該巻回体から引き出された側の端面に至る全幅が、トイレットペーパーの紙幅よりも長く設定されてなるようにしたものである。
【００１２】
請求項２に係る考案は、請求項１に係る考案において更に、前記トイレットペーパーロールの幅方向にて、巻回体の他方の側面から、筒芯の該巻回体から引き出された側の端面に至る全幅が、ロールホルダーにおけるホルダー本体の両側面部に対向して設けられている突起部に着脱できる長さであるようにしたものである。請求項１に記載のトイレットペーパーロール。
【００１３】
請求項３に係る考案は、請求項１又は２に係る考案において更に、前記筒芯の外周に、該筒芯の軸方向に沿って長さ目盛が付されてなるようにしたものである。
【００１４】
請求項４に係る考案は、請求項１又は２に係る考案において更に、前記トイレットペーパーロールの紙幅が、ロールホルダーにおけるホルダー本体の両側面部に対向して設けられている突起部に着脱できる長さに対して不足することとなる長さに関し、前記筒芯の外周で、該筒芯の端面から該筒芯の軸方向に上記不足することとなる長さだけ離隔する位置に、該筒芯に必要とされる引き出し長さを示す引き出し限表示部を設けてなるようにしたものである。
【００１５】
請求項５に係る考案は、請求項１乃至４のいずれかに係る考案において更に、前記筒芯の材質が紙からなるようにしたものである。
【考案の効果】
【００１６】
（請求項１、２）
(a)狭幅のトイレットペーパーロールの使用段階で、使用者は、トイレットペーパーの巻回体内に納まっている筒芯を、巻回体の巻回中心孔から引き出し、当該トイレットペーパーロールの巻回体及び筒芯からなる全幅Ｗ2を当該トイレットペーパーロールにおける紙幅Ｗ1よりも長く設定する。これにより、トイレットペーパーロールの紙幅が狭い場合に、当該狭幅のトイレットペーパーロールの全幅Ｗ2を、ロールホルダーにおけるホルダー本体の両側面部に対向して設けられている突起部に着脱できる長さＬに拡大することができる。従って、当該狭幅のトイレットペーパーロールを、当該狭幅のトイレットペーパーロールよりも広幅の標準寸法のトイレットペーパーロール用ワンタッチ式ロールホルダーにおいて両側面部から突き出るように対向して設けられている左右の突起部に着脱できる。
【００１７】
即ち、当該狭幅のトイレットペーパーロールがロールホルダーに対して下方から持ち込まれて左右の突起部がロール支持位置から退避位置に折り畳まれた後、当該狭幅のトイレットペーパーロールがロールホルダーにおける挿着可能位置に達してそれらの突起部が再びロール支持位置に設定されるように突き出るとき、当該狭幅のトイレットペーパーロールは、左右一方の突起部が、当該狭幅のトイレットペーパーロールにおいて巻回体から引き出された筒芯の引き出し端側内径部に挿入される。同時に、左右他方の突起部が、当該狭幅のトイレットペーパーロールにおいて筒芯が引き出されて存在しなくなった側の巻回中心孔に挿入されるものになり（但し、左右他方の突起部の先端部分は、当該狭幅のトイレットペーパーロールの巻回中心孔に存在している筒芯の反引き出し端側内径部に到達して該内径部に挿入されても可）、当該狭幅のトイレットペーパーロールをくり出し可能に支持する。
【００１８】
(b)標準寸法のトイレットペーパーロール用ロールホルダーに狭幅のトイレットペーパーロールを適用するとき、ロールホルダーやトイレットペーパーロールに格別の専用部品を付加することなく、当該狭幅のトイレットペーパーロールの筒芯を巻回体の巻回中心孔から引き出すだけで、上記ロールホルダーにそのまま適用できる。
【００１９】
(c)トイレットペーパーロールの販売店で、上述(b)の専用部品を狭幅のトイレットペーパーロールの包装袋に入れたり、狭幅のトイレットペーパーロールの購入者に手渡す等の必要がなく、簡易である。
【００２０】
(d)使用者は、トイレットペーパーロールの使用の都度、上述(b)の専用部品をロールホルダーやトイレットペーパーロールに着脱する必要もなく、簡易である。
【００２１】
（請求項３）
(e)トイレットペーパーロールの筒芯の外周に長さ目盛を付したことにより、前述(a)の筒芯の引き出し長さＬを簡易かつ正しく視認できる。これにより、使用者は、狭幅のトイレットペーパーロールの紙幅Ｗ1が、ロールホルダーにおけるホルダー本体の両側面部に対向して設けられている突起部に着脱できる長さとなる前述の全幅Ｗ2に対する不足長さ（Ｗ2−Ｗ1）分だけ筒芯を引き出すに際し、筒芯の長さ目盛を視認しながら、該筒芯の引き出し長さＬをＬ＝（Ｗ2−Ｗ1）とする引き出し作業を容易に行なうことができる。
【００２２】
（請求項４）
(f)狭幅のトイレットペーパーロールの紙幅が、ロールホルダーにおけるホルダー本体の両側面部に対向して設けられている突起部に着脱できる長さに対して不足することとなる長さに関し、前記筒芯の外周で、該筒芯の端面から該筒芯の軸方向に上記不足することとなる長さだけ離隔する位置に、該筒芯に必要とされる引き出し長さを示す引き出し限表示部を設ける。これにより、使用者は、狭幅のトイレットペーパーロールの紙幅Ｗ1が、ロールホルダーにおけるホルダー本体の両側面部に対向して設けられている突起部に着脱できる長さとなる前述の全幅Ｗ2に対する不足長さ（Ｗ2−Ｗ1）分だけ筒芯を引き出すに際し、筒芯に設けた引き出し限表示部がトイレットペーパーの巻回体の側面に一致して表われるまで該筒芯を引き出すことにより、該筒芯の引き出し長さＬをＬ＝（Ｗ2−Ｗ1）とする引き出し作業を容易に行なうことができる。
【００２３】
（請求項５）
(g)筒芯の材質が紙からなるものとすることにより、プラスチック等からなる前述(b)の専用部品を伴うことがないことと相まって、標準寸法のトイレットペーパーロール用ロールホルダーにそのまま適用した狭幅のトイレットペーパーロールの使い切り後の筒芯を簡易に廃棄でき、当該トイレットペーパーロールの廃棄処分性を向上できる。
【図面の簡単な説明】
【００２４】
【図１】図１は本考案の一実施例に係るトイレットペーパーロールの筒芯引き出し状態を示す模式斜視図である。
【図２】図２はロールホルダーに支持されたトイレットペーパーロールを示す模式斜視図である。
【図３】図３はトイレットペーパーロールの使用手順を示す模式断面図である。
【考案を実施するための形態】
【００２５】
本考案が適用されるトイレットペーパーロール１０は、図１乃至図３に示す如く、紙幅が標準寸法（例えば114mm）より狭い紙幅（例えば103mm）のトイレットペーパー１１からなる巻回体１２を筒芯１３に巻回してなる狭幅のトイレットペーパーロール１０である。図１、図２、図３（Ｂ）、（Ｃ）に示したトイレットペーパーロール１０は、使用段階で筒芯１３がトイレットペーパー１１の巻回体１２から引き出された状態を示したものである。製造販売段階のトイレットペーパーロール１０は、図３（Ａ）に示す如く、筒芯１３が引き出されることなく、筒芯１３の両端面が巻回体１２の両側面に合致するものとされている。
【００２６】
このとき、トイレットペーパーロール１０は、一般に、トイレットペーパー１１の巻回体１２が円筒状の筒芯１３の周囲に巻回されたものであり、トイレットペーパー１１の巻回体１２が巻回された筒芯１３を、ワンタッチ式ロールホルダー２０におけるホルダー本体２１の左右の両側面部２２、２２に対向して設けられている突起部２３、２３に着脱して用いられる。２４はカバーである。
【００２７】
ワンタッチ式ロールホルダー２０において、左右の突起部２３は、ホルダー本体２１の側面部２２から水平に突き出て、トイレットペーパーロール１０におけるトイレットペーパー１１の巻回体１２が巻き回されている筒芯１３の内径部に挿入し得るロール支持位置に常時維持されるとともに、下方からの持ち上げ力によりホルダー本体２１に対して揺動し、上記ロール支持位置から上側へ折り畳まれる退避位置に向けて退避し得るように構成されている。
【００２８】
これにより、トイレットペーパーロール１０がロールホルダー２１に対して下方から持ち込まれたとき、ロールホルダー２１の左右の突起部２３はトイレットペーパー１１の巻回体１２によってロール支持位置から上側へ折り畳まれ、それらの突起部２３は退避位置へ退避せしめられる。その後、トイレットペーパーロール１０がロールホルダー２１に対する挿着可能位置に達すると、ロールホルダー２１の左右の突起部２３は、重力又はばね力等によってホルダー本体２１の側面部２２から突き出て、トイレットペーパーロール１０の筒芯１３の内径部に挿入されるロール支持位置に設定される。トイレットペーパーロール１０は、ロールホルダー２１の突起部２３に挿着されて繰り出し可能にされる。トイレットペーパー１１の巻回体１２を使い切ったときには、筒芯１３をロールホルダー２１に対して上方へ持ち上げることにより、ロールホルダー２１の左右の突起部２３を上側へ折り畳んで退避位置に設定する。筒芯１３は、ロールホルダー２１の突起部２３の退避によってホルダー本体２１から抜き去り可能になる。
【００２９】
しかるに、本考案のトイレットペーパーロール１０は、トイレットペーパー１１の紙幅Ｗ1（巻回体１２の紙幅であり、筒芯１３の筒長さでもある）が標準寸法よりも狭い場合にも、標準寸法のトイレットペーパーロール用ロールホルダー２０をそのまま使用可能にするため、以下の構成を具備する。
【００３０】
トイレットペーパーロール１０において、トイレットペーパー１１の巻回体１２が筒芯１３の周囲に巻回されてなるとき、筒芯１３が、トイレットペーパー１１の巻回体１２において該筒芯１３の周囲に形成されている巻回中心孔１２Ａに対し、トイレットペーパーロール１０の幅方向（筒芯１３の軸方向）にて該巻回体１２の左右いずれか一方の側面（例えば右側面）よりも外方に引き出し可能にされる。
【００３１】
尚、本考案のトイレットペーパーロール１０の製造時には、巻回体１２を構成するトイレットペーパー１１は、巻始め端が水を介する等により筒芯１３の外周に付着されて該筒芯１３の周囲に巻取り開始されたり、筒芯１３の外周に対し強力な接着剤を介する等によって強く接着することのないようにして該筒芯１３の周囲に巻取り開始されるとともに、適度な巻締め張力を付与されて筒芯１３の周囲に巻回される。これにより、使用者は、巻回体１２の左右の側面に面一をなして露出している筒芯１３の端部を手指の爪先でつまんで該筒芯１３の軸方向に引き出し力を付与することにより、該筒芯１３を巻回体１２の巻回中心孔１２Ａから上述の如くに引き出しできる。
【００３２】
尚、上記トイレットペーパーロール１０の製造時に、トイレットペーパー１１の巻始め端は、使用者が筒芯１３の端部に加える上述の引き出し力によって容易に剥離できる程度の強さの接着剤によって該筒芯１３の外周に付着され、該筒芯１３の外周に巻取り開始されても良い。
【００３３】
また、上記トイレットペーパーロール１０の製造時に、トイレットペーパー１１の巻始め端は、機械的手段によって該筒芯１３の外周に保持され、該筒芯１３の外周に巻取り開始されても良い。
【００３４】
トイレットペーパーロール１０における筒芯１３の上述の引き出しにより、トイレットペーパーロール１０は、該トイレットペーパーロール１０の幅方向にて、巻回体１２の他方の側面（例えば左側面）から、筒芯１３の巻回体１２から引き出された側の端面（例えば右端面）に至る全幅Ｗ2が、トイレットペーパー１１の紙幅Ｗ1よりも長く設定される。
【００３５】
ここで、本実施例では、トイレットペーパーロール１０の幅方向にて、巻回体１２の他方の側面から、筒芯１３の該巻回体１２から引き出された側の端面に至る全幅Ｗ2が、ロールホルダー２０におけるホルダー本体２１の両側面部２２、２２に対向して設けられている突起部２３、２３に着脱できる長さであるものとされる。
【００３６】
また、本実施例では、筒芯１３の外周に、該筒芯１３の軸方向に沿って延びる長さ目盛１４が付されている。長さ目盛１４は、筒芯１３の外周で、該筒芯１３の全長に渡る範囲に一定間隔（例えば1mm間隔）をなす目盛からなるものとされる。
【００３７】
尚、トイレットペーパーロール１０は、筒芯１３の材質を紙からなるものとすることが好ましい。
【００３８】
従って、本実施例によれば以下の作用効果を奏する。
(a)狭幅のトイレットペーパーロール１０の使用段階で、使用者は、図３（Ａ）に示す如くにトイレットペーパー１１の巻回体１２内に納まっている筒芯１３を、図３（Ｂ）に示す如くに該巻回体１２の巻回中心孔１２Ａから引き出し、当該トイレットペーパーロール１０の巻回体１２及び筒芯１３からなる全幅Ｗ2を当該トイレットペーパーロール１０における紙幅Ｗ1よりも長く設定する。これにより、トイレットペーパーロール１０の紙幅が狭い場合に、当該狭幅のトイレットペーパーロール１０の全幅Ｗ2を、ロールホルダー２０におけるホルダー本体２１の両側面部２２に対向して設けられている突起部２３に着脱できる長さＬに拡大することができる。従って、当該狭幅のトイレットペーパーロール１０を、当該狭幅のトイレットペーパーロール１０よりも広幅の標準寸法のトイレットペーパーロール用ワンタッチ式ロールホルダー２０において両側面部２２から突き出るように対向して設けられている左右の突起部２３に着脱できる。
【００３９】
即ち、当該狭幅のトイレットペーパーロール１０がロールホルダー２０に対して下方から持ち込まれて左右の突起部２３がロール支持位置から退避位置に折り畳まれた後、当該狭幅のトイレットペーパーロール１０がロールホルダー２０における挿着可能位置に達してそれらの突起部２３が再びロール支持位置に設定されるように突き出るとき、当該狭幅のトイレットペーパーロール１０は、左右一方の突起部２３が、当該狭幅のトイレットペーパーロール１０において巻回体１２から引き出された筒芯１３の引き出し端側内径部に挿入される。同時に、左右他方の突起部２３が、当該狭幅のトイレットペーパーロール１０において筒芯１３が引き出されて存在しなくなった側の巻回中心孔１２Ａに挿入されるものになり（但し、左右他方の突起部２３の先端部分は、当該狭幅のトイレットペーパーロール１０の巻回中心孔１２Ａに存在している筒芯１３の反引き出し端側内径部に到達して該内径部に挿入されても可）、当該狭幅のトイレットペーパーロール１０をくり出し可能に支持する。
【００４０】
(b)標準寸法のトイレットペーパーロール用ロールホルダー２０に狭幅のトイレットペーパーロール１０を適用するとき、ロールホルダー２０やトイレットペーパーロール１０に格別の専用部品を付加することなく、当該狭幅のトイレットペーパーロール１０の筒芯１３を巻回体１２の巻回中心孔１２Ａから引き出すだけで、上記ロールホルダー２０にそのまま適用できる。
【００４１】
(c)トイレットペーパーロール１０の販売店で、上述(b)の専用部品を狭幅のトイレットペーパーロール１０の包装袋に入れたり、狭幅のトイレットペーパーロール１０の購入者に手渡す等の必要がなく、簡易である。
【００４２】
(d)使用者は、トイレットペーパーロール１０の使用の都度、上述(b)の専用部品をロールホルダー２０やトイレットペーパーロール１０に着脱する必要もなく、簡易である。
【００４３】
(e)トイレットペーパーロール１０の筒芯１３の外周に長さ目盛を付したことにより、前述(a)の筒芯１３の引き出し長さＬを簡易かつ正しく視認できる。これにより、使用者は、狭幅のトイレットペーパーロール１０の紙幅Ｗ1（例えば103mm）が、ロールホルダー２０におけるホルダー本体２１の両側面部２２に対向して設けられている突起部２３に着脱できる長さとなる前述の全幅Ｗ2（例えば114mm）に対する不足長さ（Ｗ2−Ｗ1）（例えば11mm）分だけ筒芯１３を引き出すに際し、筒芯１３の長さ目盛を視認しながら、該筒芯１３の引き出し長さＬをＬ＝（Ｗ2−Ｗ1）とする引き出し作業を容易に行なうことができる。
【００４４】
(f)筒芯１３の材質が紙からなるものとすることにより、プラスチック等からなる前述(b)の専用部品を伴うことがないことと相まって、標準寸法のトイレットペーパーロール１０用ロールホルダー２０にそのまま適用した狭幅のトイレットペーパーロール１０の使い切り後の筒芯１３を簡易に廃棄でき、当該トイレットペーパーロール１０の廃棄処分性を向上できる。
【００４５】
本考案のトイレットペーパーロール１０にあっては、筒芯１３の外周に付した長さ目盛１４に代えて、筒芯１３の外周に引き出し限表示部（不図示）を設けるものとしても良い。即ち、トイレットペーパーロール１０の紙幅が、ロールホルダー２０におけるホルダー本体２１の両側面部２２、２２に対向して設けられている突起部２３、２３に着脱できる長さに対して不足することとなる長さに関し、筒芯１３の外周で、該筒芯１３の端面から該筒芯１３の軸方向に上記不足することとなる長さだけ離隔する位置に、該筒芯１３に必要とされる引き出し長さＬを示す引き出し限表示部を設ける。これにより、使用者は、狭幅のトイレットペーパーロール１０の紙幅Ｗ1が、ロールホルダー２０におけるホルダー本体２１の両側面部２２に対向して設けられている突起部２３に着脱できる長さとなる前述の全幅Ｗ2に対する不足長さ（Ｗ2−Ｗ1）分だけ筒芯１３を引き出すに際し、筒芯１３に設けた引き出し限表示部がトイレットペーパー１１の巻回体１２の側面に一致して表われるまで該筒芯１３を引き出すことにより、該筒芯１３の引き出し長さＬをＬ＝（Ｗ2−Ｗ1）とする引き出し作業を容易に行なうことができる。
【００４６】
以上、本考案の実施例を図面により詳述したが、本考案の具体的な構成はこの実施例に限られるものではなく、本考案の要旨を逸脱しない範囲の設計の変更等があっても本考案に含まれる。例えば、トイレットペーパーロールは、筒芯の外周に付される長さ目盛、引き出し限表示部を設けることを必須としない。
【産業上の利用可能性】
【００４７】
本考案によれば、トイレットペーパーロールの紙幅が標準寸法よりも狭い場合にも、標準寸法のトイレットペーパーロール用ロールホルダーをそのまま使用可能にすることができる。
【符号の説明】
【００４８】
１０  トイレットペーパーロール
１１  トイレットペーパー
１２  巻回体
１２Ａ  巻回中心孔
１３  筒芯
１４  長さ目盛
２０  ロールホルダー
２１  ホルダー本体
２２  側面部
２３  突起部
【図１】
0003203615.tif 000003
【図２】
0003203615.tif 000004
【図３】
0003203615.tif 000005